(57)【特許請求の範囲】
【請求項１】
切削工具を保持する回転筒と該回転筒に外装されて固定された翼車をヘッド部に収容し、給気口から供給された空気を翼車に当てて該翼車に回転を与えるとともに、翼車に当たった空気を排気口から排出する歯科用切削装置において、
上記ヘッド部は、上記翼車の外周端部に対向する部分に配置され、上記回転筒の中心軸から外側に向かって形成された第１の空隙と、
上記中心軸の方向に関する上記翼車の一端側又は両端側に隣接すると共に上記第１の空隙に連通した第２の空隙とを有し、
上記給気口からの空気の供給が停止された後の上記翼車の回転によって上記第1の空隙に上記空気が押し込まれて高圧空気を形成し、上記高圧空気が上記第２の空隙を介して外部に放出されるようにしたことを特徴とする歯科用切削装置。
【請求項２】
切削工具を保持する回転筒と該回転筒に外装されて固定された翼車をヘッド部に収容し、給気口から供給された空気を翼車に当てて該翼車に回転を与えるとともに、翼車に当たった空気を排気口から排出する歯科用切削装置において、
上記ヘッド部は、
上記翼車の外周端部に対向し、上記翼車の回転方向に関して上記排気口から上記給気口の間の領域に配置され、上記回転筒の中心軸から外側に向かって形成された第１の空隙と、
上記中心軸の方向に関する上記翼車の一端側又は両端側に隣接すると共に上記第１の空隙に連通した第２の空隙とを有し、
上記給気口からの空気の供給が停止された後の上記翼車の回転によって上記第1の空隙に上記空気が押し込まれて高圧空気を形成し、上記高圧空気が上記第２の空隙を介して外部に放出されるようにしたことを特徴とする歯科用切削装置。
【請求項３】
上記第１の空隙は、上記翼車の回転方向下流側に傾斜して形成されていることを特徴とする請求項１又は２の歯科用切削装置。
【請求項４】
上記第１の空隙が複数形成されていることを特徴とする請求項１〜３のいずれかの歯科用切削装置。
【請求項５】
上記第１の空隙は上記中心軸と平行な平面内で略長方形の断面を有することを特徴とする請求項１〜４のいずれか一に記載の歯科用切削装置。
【請求項６】
上記ヘッド部は、アウターハウジングと、上記アウターハウジングの内側に着脱自在に嵌め込まれたインナーハウジングとを備えており、上記第１の空隙が上記インナーハウジングに形成されていることを特徴とする請求項１〜５のいずれかの歯科用切削装置。
【請求項７】
上記第１の空隙は上記インナーハウジングを貫通して形成されていることを特徴とする請求項６に記載の歯科用切削装置。
【請求項８】
切削工具を保持する回転筒と、上記回転筒を支持する２つの軸受部と、上記２つの軸受部の間に配置されると共に上記回転筒に外装されて固定された翼車をヘッド部に収容し、給気口から供給された空気を翼車に当てて該翼車に回転を与えるとともに、翼車に当たった空気を排気口から排出する歯科用切削装置において、
上記ヘッド部は、
上記翼車の外周端部に対向する部分に配置され、上記回転筒の中心軸から外側に向かって形成された第１の空隙と、
上記中心軸の方向に関する上記翼車の少なくとも一端側に隣接すると共に上記第１の空隙に連通した第２の空隙と、
上記中心軸の方向に関する上記翼車の他端側に配置され、上記２つの軸受部と上記翼車を収容する空室と外部空間との間をシールするシール部材とを備えており、
上記給気口からの空気の供給が停止された後の上記翼車の回転によって上記第1の空隙に上記空気が押し込まれて高圧空気を形成し、上記高圧空気が上記第２の空隙を介して外部に放出されるようにしていることを特徴とする歯科用切削装置。
【請求項９】
切削工具を保持する回転筒と、上記回転筒を支持する２つの軸受部と、上記２つの軸受部の間に配置されると共に上記回転筒に外装されて固定された翼車をヘッド部に収容し、給気口から供給された空気を翼車に当てて該翼車に回転を与えるとともに、翼車に当たった空気を排気口から排出する歯科用切削装置において、
上記ヘッド部は、
上記翼車の外周端部に対向し、上記翼車の回転方向に関して上記排気口から上記給気口の間の領域に配置され、上記回転筒の中心軸から外側に向かって形成された第１の空隙と、
上記中心軸の方向に関する上記翼車の一端側又は両端側に隣接すると共に上記第１の空隙に連通した第２の空隙と、
上記中心軸の方向に関する上記翼車の他端側に配置され、上記２つの軸受部と上記翼車を収容する空室と外部空間との間をシールするシール部材とを備えており、
上記給気口からの空気の供給が停止された後の上記翼車の回転によって上記第1の空隙に上記空気が押し込まれて高圧空気を形成し、上記高圧空気が上記第２の空隙を介して外部に放出されるようにしたことを特徴とする歯科用切削装置。
【請求項１０】
上記第１の空隙は、上記翼車の回転方向下流側に傾斜して形成されていることを特徴とする請求項８又は９の歯科用切削装置。
【請求項１１】
上記シール部材は、上記回転筒又は上記切削工具の外周面に周方向に接触し、上記ヘッド部の内部の圧力が高圧になると上記回転筒又は上記切削工具の外周面から離れて上記回転筒又は上記切削工具との間に隙間を形成することを特徴とする請求項８〜１０のいずれかの歯科用切削装置。
【請求項１２】
上記第１の空隙が複数形成されていることを特徴とする請求項８〜１１のいずれかの歯科用切削装置。
【請求項１３】
上記第１の空隙は上記中心軸と平行な平面内で略長方形の断面を有することを特徴とする請求項８〜１２のいずれかの歯科用切削装置。
【請求項１４】
上記ヘッド部は、アウターハウジングと、上記アウターハウジングの内側に着脱自在に嵌め込まれたインナーハウジングとを備えており、上記第１の空隙が上記インナーハウジングに形成されていることを特徴とする請求項８〜１３のいずれかの歯科用切削装置。
【請求項１５】
上記第１の空隙は上記インナーハウジングを貫通して形成されていることを特徴とする請求項１４に記載の歯科用切削装置。
【請求項１６】
切削工具を保持する回転筒と該回転筒に外装されて固定された翼車をヘッド部に収容し、給気口から供給された空気を翼車に当てて該翼車に回転を与えるとともに、翼車に当たった空気を排気口から排出する歯科用切削装置におけるサックバック防止方法であって、
上記歯科用切削装置は、上記ヘッド部が、上記翼車の外周端部に対向する部分に配置され且つ上記回転筒の中心軸から外側に向かって形成された第１の空隙と、上記中心軸の方向に関する上記翼車の一端側又は両端側に隣接すると共に上記第１の空隙に連通した第２の空隙とを備えており、
上記給気口から空気を上記翼車に当てて上記翼車を回転し、
上記給気口からの空気の供給が停止した後、上記翼車の回転によって上記第１の空隙に上記空気が押し込んで高圧空気を形成し、上記高圧空気を上記第２の空隙から外部に放出させることを特徴とする歯科用切削装置のサックバック防止方法。
【請求項１７】
上記第１の空隙は上記翼車の回転方向下流側に傾斜して形成されていることを特徴とする請求項１６のサックバック防止方法。
【発明の詳細な説明】
【０００１】
【発明の属する技術分野】
本発明は歯科用切削装置に関する。
【０００２】
【従来の技術】
一般に、歯科用の空気式切削装置であるハンドピースはその先端にヘッド部を備えており、このヘッド部に必要な切削工具が着脱できる構成を採用している。また、ヘッド部の内部には、切削工具を保持する回転筒（ロータ軸）と、回転軸を支持する２つの軸受部と、これら２つの軸受部の間に配置された翼車が収容されており、ハンドピースのグリップ部内に配置されている給気路から供給される高圧空気を翼車に当てて切削工具に回転を与えている。また、グリップ部には排気路が形成されており、翼車に当たった高圧空気が排気路を介して放出されるようにしてある。
【０００３】
【発明が解決しようとする課題】
ところが、このような構成を有する空気式切削装置では、高圧空気の供給を停止しても、回転筒と翼車は惰性によってしばらく回転を続ける。そして、この回転によってヘッド部の内部に形成されている空間の空気が給気路と排気路に強制的に押し出され、この空間が負圧状態になる。また、回転筒や切削工具の外周に存在する隙間を通じて外部の空気がヘッド部の内部に吸引される。したがって、例えば歯科治療中に切削工具の回転を停止したとき、患者の唾液や血液、更には切削された歯粉が唾液等と共に、ヘッド部の内部に吸引される現象（サックバック現象）が発生する。
【０００４】
このサックバック現象は従来から問題点として指摘されており、その解決策が種々提案されている。しかし、過去に提案された種々の方法はいずれも機構的に複雑であり、実際の適用に当たっては更に工夫の必要がある。また、切削工具に回転停止時に、給気路と排気路に圧力空気を供給する方式も提案されているが、装置本体の制御や構成が極めて複雑になるという問題がある。
【０００５】
【課題を解決するための手段】
そこで、本発明は、簡単なヘッド部の改良によってサックバック現象を防止した歯科用切削装置を提供することを目的としてなされたもので、切削工具を保持する回転筒と該回転筒に外装されて固定された翼車をヘッド部に収容し、給気口から供給された空気を翼車に当てて該翼車に回転を与えるとともに、翼車に当たった空気を排気口から排出する歯科用切削装置において、上記ヘッド部は、上記翼車の外周端部に対向する部分に配置され、上記回転筒の中心軸から外側に向かって形成された第１の空隙と、上記中心軸の方向に関する上記翼車の一端側又は両端側に隣接すると共に上記第１の空隙に連通した第２の空隙とを有し、上記給気口からの空気の供給が停止された後の上記翼車の回転によって上記第1の空隙に上記空気が押し込まれて高圧空気を形成し、上記高圧空気が上記第２の空隙を介して外部に放出されるようにしたことを特徴とする。
【０００６】
本発明の他の形態は、切削工具を保持する回転筒と該回転筒に外装されて固定された翼車をヘッド部に収容し、給気口から供給された空気を翼車に当てて該翼車に回転を与えるとともに、翼車に当たった空気を排気口から排出する歯科用切削装置において、上記ヘッド部は、上記翼車の外周端部に対向し、上記翼車の回転方向に関して上記排気口から上記給気口の間の領域に配置され、上記回転筒の中心軸から外側に向かって形成された第１の空隙と、上記中心軸の方向に関する上記翼車の一端側又は両端側に隣接すると共に上記第１の空隙に連通した第２の空隙とを有し、上記給気口からの空気の供給が停止された後の上記翼車の回転によって上記第1の空隙に上記空気が押し込まれて高圧空気を形成し、上記高圧空気が上記第２の空隙を介して外部に放出されるようにしたことを特徴とする。
【０００７】
本発明の他の形態は、切削工具を保持する回転筒と、上記回転筒を支持する２つの軸受部と、上記２つの軸受部の間に配置されると共に上記回転筒に外装されて固定された翼車をヘッド部に収容し、給気口から供給された空気を翼車に当てて該翼車に回転を与えるとともに、翼車に当たった空気を排気口から排出する歯科用切削装置において、上記ヘッド部は、上記翼車の外周端部に対向する部分に配置され、上記回転筒の中心軸から外側に向かって形成された第１の空隙と、上記中心軸の方向に関する上記翼車の少なくとも一端側に隣接すると共に上記第１の空隙に連通した第２の空隙と、上記中心軸の方向に関する上記翼車の他端側に配置され、上記２つの軸受部と上記翼車を収容する空室と外部空間との間をシールするシール部材とを備えており、上記給気口からの空気の供給が停止された後の上記翼車の回転によって上記第1の空隙に上記空気が押し込まれて高圧空気を形成し、上記高圧空気が上記第２の空隙を介して外部に放出されるようにしていることを特徴とする。
【０００８】
本発明の他の形態は、切削工具を保持する回転筒と、上記回転筒を支持する２つの軸受部と、上記２つの軸受部の間に配置されると共に上記回転筒に外装されて固定された翼車をヘッド部に収容し、給気口から供給された空気を翼車に当てて該翼車に回転を与えるとともに、翼車に当たった空気を排気口から排出する歯科用切削装置において、上記ヘッド部は、上記翼車の外周端部に対向し、上記翼車の回転方向に関して上記排気口から上記給気口の間の領域に配置され、上記回転筒の中心軸から外側に向かって形成された第１の空隙と、上記中心軸の方向に関する上記翼車の一端側又は両端側に隣接すると共に上記第１の空隙に連通した第２の空隙と、上記中心軸の方向に関する上記翼車の他端側に配置され、上記２つの軸受部と上記翼車を収容する空室と外部空間との間をシールするシール部材とを備えており、上記給気口からの空気の供給が停止された後の上記翼車の回転によって上記第1の空隙に上記空気が押し込まれて高圧空気を形成し、上記高圧空気が上記第２の空隙を介して外部に放出されるようにしたことを特徴とする。
【０００９】
【発明の実施の形態】
実施の形態１：
図１と図２は、本発明に係る歯科用切削装置であるハンドピース１の先端に設けたヘッド部１１を拡大した図である。図示するように、ヘッド部１１は、図示しない把持部（グリップ部）に接続される軸部１１と、軸部１１の先端に設けたハウジング１２を有する。
【００１０】
ハウジング１２は、椀型のアウターハウジング１３と、このアウターハウジング１３の内側に着脱可能に装着された椀型のインナーハウジング１４と、インナーハウジング１４の上部に配置されたトップハウジング１５を備えており、これらインナーハウジング１４とトップハウジング１５の内側に空室１６が形成されている。空室１６の上下には上部軸受部１７と下部軸受部１８が配置されており、それぞれトップハウジング１５とインナーハウジング１４に保持されている。上部軸受部１７と下部軸受部１８は、ハウジング１２の中心軸１９と同軸的に配置された回転筒（ロータ軸）２０を回転自在に支持している。回転筒２０は、上部軸受部１７と下部軸受部１８の間に配置された翼車２１を保持しており、これら回転筒２０と翼車２１が中心軸１９を中心として回転するようにしてある。また、回転筒２０の下部は、アウターハウジング１３とインナーハウジング１４の下部にそれぞれ形成されている開口部を介して外部空間に露出しており、回転筒２０にはその下端から切削工具２２が挿入できるようにしてある。さらに、アウターハウジング１３の上部開口部は、トップハウジング１５の上に配置されたキャップ２３によって閉鎖されている。
【００１１】
把持部に接続される軸部１１には、インナーハウジング１４とアウターハウジング１３を貫通して給気路２４と排気路２５が形成されている。図２に示すように、本実施の形態では翼車２１が図２の時計回り方向に回転するように設計されており、そのために給気路２４は回転方向上流側から下流側に向けて空気を噴き出すように方向付けられている。また、給気路２４と排気路２５の間の領域には、インナーハウジング１４を貫通してアウターハウジング１３内に拡大された外周空隙（第１の空隙）２６が形成されている。図２に詳細に示すように、本実施の形態において、外周空隙２６は、中心軸１９と平行な平面内で略長方形の断面を有する。また、図１に示すように、外周空隙２６は、中心軸１９から外側に向かって、翼車２１の回転方向下流側に傾斜して形成されている。その傾斜角度、具体的には中心軸１９と外周空隙２６の側壁との交角θは、約５０〜８０度に設定するのが好ましい。また、翼車２１の上下、具体的には中心軸１９と平行な方向にある翼車の端部（上下端部）に隣接する領域に、上部空隙（第２の空隙）２７と下部空隙（第２の空隙）２８が形成されており、これら上部空隙２７と下部空隙２９は外周空隙２６の上部と下部にそれぞれ接続されている。
【００１２】
このように構成されたハンドピース１によれば、給気路２４を介して空室１６内に供給された高圧空気は翼車２１に当たって該翼車２１を図２の時計回り方向に回転する。また、高圧空気は翼車２１と共に中心軸１９の回りを時計回り方向に移動し、排気路２５から排気される。一方、翼車２１の回転は、回転筒２０を介して切削工具２２に伝達される。したがって、この状態から高圧空気の供給を停止すると、翼車２１に加わる回転力は消滅するが、慣性によって翼車２１はしばらく回転を続ける。そのため、翼車２１の回転と共に空室１６内を回転する空気は、遠心力によって給気路２４と排気路２５に押し込まれるだけでなく外周空隙２６に押し込まれ、この外周空隙２６内に高圧空気を形成する。この外周空隙２６に形成された高圧空気は、図１に示すように外周空隙２６の上部と下部に連通している上部空隙２７と下部空隙２９に戻され、上部軸受部１７と下部軸受部１８を介して、トップハウジング１５と回転筒２０との上部隙間２９、及びインナーハウジング１４及びアウターハウジング１３と回転筒２０との下部隙間３０から外部に放出される。そのため、上部隙間２９と下部隙間３０は実質的にエアシールされることになり、上部隙間２９や下部隙間３０を通じて、外部の空気、更に歯科治療中であれば口腔内の唾液や血液などが空室１６内に侵入することが防止される。
【００１３】
なお、以上の説明では、翼車２１の上下にそれぞれ上部空隙２７と下部空隙２９を形成したが、例えば図示する実施の形態のようにアウターハウジング１３の上部開口部がキャップ２９等によって十分にシールされている場合には、このシールされている側の空隙は無くてもよい。
【００１４】
また、本実施の形態では歯車状の翼車２１を採用しているが、翼車の形状や大きさ等はいかなるものであってもよい。
【００１５】
実施の形態２：
図３は、実施の形態２に係る歯科用切削装置であるハンドピース１０１の一部、特に術者が手にとって握る把持部１０２の一部と、この把持部１０２の先端に取り付けたヘッド部１０３を拡大した図である。図示するように、把持部１０２は、先端（図面上左側の端部）に開口部を有する筒状部材からなる。一方、ヘッド部１０３は、概略、筒状部材の先端開口部に挿入されて固定された軸部１０４と、以下に説明する軸受機構等を収容するハウジング１０５を有する。
【００１６】
ハウジング１０５は、軸部１０４と一体的に構成された椀型のアウターハウジング１０６と、このアウターハウジング１０６の内側に着脱可能に装着された椀型のインナーハウジング１０７と、インナーハウジング１０７の上部開口部に装着された環状のトップハウジング１０８を有し、インナーハウジング１０７とトップハウジング１０８の内側に空室１０９が形成されている。空室１０９の上下には上部軸受部１１０と下部軸受部１１１が配置されており、それぞれトップハウジング１０８とインナーハウジング１０７に保持されている。上部軸受部１１０と下部軸受部１１１は、ハウジング１０５の中心軸１１２と同軸的に配置された回転筒（ロータ軸）１１３を回転自在に支持している。回転筒１１３は、上部軸受部１１０と下部軸受部１１１の間に配置された翼車１１４を保持しており、これら回転筒１１３と翼車１１４が中心軸１１２を中心として回転するようにしてある。また、回転筒１１３の下部は、アウターハウジング１０６とインナーハウジング１０７の下部にそれぞれ形成されている開口部を介して外部空間に露出しており、回転筒１１３にはその下端から切削工具１１５が挿入できるようにしてある。さらに、アウターハウジング１０６の上部開口部には保持リング１１６が着脱可能に嵌め込まれており、この保持リング１１６によってトップハウジング１０８が位置決めされている。保持リング１１６はまた、トップハウジング１０８を覆うキャップ１１７を保持している。
【００１７】
翼車１１４は、外周上部に形成された上段ブレード部１１８と、外周下部に形成された下段ブレード部１１９を有する。本明細書では翼車１１４の構成は詳細に説明しないが、この翼車１１４には特開２００１−１６２４１６号公報に開示されている二段式の翼車が好適に利用できる。一方、上段ブレード部１１８に対向するインナーハウジング１０７と軸部１０４の部分には給気路１２０、１２１が形成されている。また、下段ブレード部１１９に対向するインナーハウジング１０７と軸部１０４の部分には排気路１２２、１２３が形成されている。そして、インナーハウジング１０７の内面には、上段ブレード部１１８と下段ブレード部１１９にそれぞれ流体的に連結する空気路１２４が形成されている。
【００１８】
インナーハウジング１０７はまた、下段ブレード部１１９の外周端部に対向する部分に、このインナーハウジング１０７を貫通する複数の外周空隙（第１の空隙）１２５が形成されている。このように外周空隙１２５はインナーハウジング１０７を貫通しているので、このインナーハウジング１０７の外側から容易に形成することができる。また、図４、５に詳細に示すように、本実施の形態では翼車１１４が矢印方向に回転するように設計されており、そのために外周空隙１２５は、中心軸１１２から外側に向かって、翼車１１４の回転方向下流側に傾斜して形成されている。その傾斜角度、具体的には中心軸１１２と外周空隙１２５の側壁１２６との交角θは、約５０〜８０度に設定するのが好ましい。また、翼車１１４の下、具体的には中心軸１１２と平行な方向にある翼車の下端部に隣接する領域に下部空隙（第２の空隙）１２７が形成されており、この下部空隙１２７は外周空隙１２５の下部に接続されている。
【００１９】
一方、トップハウジング１０８と上部軸受部１１０との間には、回転筒１１３の外周面に対向する環状溝１２８が形成されており、この環状溝１２８に収容された弾性の環状シール（リップシール）１２９〔図６参照〕によって、トップハウジング１０８と回転筒１１３との隙間がシールされている。
【００２０】
本実施の形態において、リップシール１２９はゴム成形品からなり、図６に詳細に示すように、環状基部１２９ａと、この環状基部１２９ａの内周面から径方向内側に向かって突出する薄肉部１２９ｂを有する。薄肉部１２９ｂは、その内周先端部１２９ｃに向かって次第に厚みが薄くなるように形成されており、この内周先端部１２９ｃの内径が回転筒１１３の外径よりも僅かに小さくしてある。そして、図７に示すように、上部軸受部１１０の上に配置されたリップシール１２９はその内周先端部１２９ｃが上に向いた状態で回転筒１１３の外周面に接触し、また下部軸受部１１１の下に配置されたリップシール１２９はその内周先端部１２９ｃが下に向いた状態で回転筒１１３の外周面に接触した状態で、環状溝１２８に収容されている。したがって、空室１０９に高圧空気が供給され該空室１０９の内圧が高くなっている状態では、この内圧によってリップシール１２９の内周先端部１２９ｃが外側に向かって容易に変形して回転筒１１４から離れ、この変形した内周先端部１２９ｃと回転筒１１４との間に形成された隙間を介して、空室１０９の高圧空気が外部空間に流れる。そのため、回転筒１１４の回転時に該回転筒１１４はリップシール１２９から抵抗を受けることがなく、正常な回転が保証される。
【００２１】
その他、アウターハウジング１０６の底部には複数の注水孔１３０が等間隔に形成されている。これらの注水孔１３０は、インナーハウジング１０７に対向する内面に形成された環状水路１３１によって相互に接続されているとともに、軸部１０４に形成された給水路（図示せず）に接続されている。
【００２２】
以上の構成を備えたハンドピース１０１によれば、把持部１０２に収容されている給水管（図示せず）を介して供給された水は、軸部１０４の給水路とハウジング１０５の環状水路１３１を介して複数の注水孔１３０から切削工具１１５の先端に向けて噴射される。また、把持部１０２に収容されている給気管（図示せず）を介して供給された高圧空気は、軸部１０４とインナーハウジング１０７の給気路１２１、１２０を介して、翼車１１４の上段ブレード部１１８に当てられる。また、上段ブレード部１１８に当たった高圧空気は、空気路１２４を介して下段ブレード部１１９に当てられる。その結果、翼車１１４に回転が与えられる共に、この翼車１１４を備えた回転筒１１３が回転する。また、回転筒１１３に保持された切削工具１１５が回転する。
【００２３】
次に、高圧空気の供給を停止すると、翼車１１４に加わる回転力は消滅するが、慣性によって翼車１１４はしばらく回転を続ける。そのため、翼車１１４の回転と共に空室１０９内を回転する空気は、遠心力によって給気路１２０、１２１と排気路１２３、１２４に押し込まれるだけでなく外周空隙１２５に押し込まれ、この外周空隙１２５内に高圧空気を形成する。この外周空隙１２５に形成された高圧空気は、外周空隙１２５の下部に連通している下部空隙１２７に戻され、下部軸受部１１１を介して、インナーハウジング１０７と回転筒１１３との下部隙間から外部に放出される。そのため、下部隙間は実質的にエアシールされることになり、下部隙間を通じて、外部の空気、更に歯科治療中であれば口腔内の唾液や血液などが空室１０９内に侵入することが防止される。また、トップハウジング１０８と回転筒１１３との間は環状シール１２９によってシールされているので、それらの間から外部空気等が空室１０９内に侵入することもない。さらに、環状シール１２９は回転筒１１３と物理的に接触しており、翼車１１４の惰性による回転を抑止する効果もあり、そのために空室１０９に負圧が発生する時間が更に短くなり、サックバック防止の一助となる。加えて、高圧空気の供給を停止すると環状シール１２９が回転筒１１３と接触し、翼車１１４が素早く停止するので、診療時間の短縮にも繋がる。
【００２４】
なお、本実施の形態では、トップハウジング１０８と回転筒１１３との間だけに環状シール１２９を設けたが、図７に示すように、下部軸受部１１１の下方に、インナーハウジング１０７と回転筒１１３との間をシールする環状シール１２９を設け、上述したエアシールと共に、インナーハウジング１０７と回転筒１１３との間から外部空気等が侵入するのを防止してもよい。
【００２５】
【発明の効果】
以上の説明から明らかなように、本発明によれば、ヘッド部に特に複雑な構成を加えることなく、翼車の回転を止めたときに発生するサックバックによって唾液等がヘッド部の内部に侵入するのを効果的に禁止できる。
【図面の簡単な説明】
【図１】  実施の形態１に係る歯科用切削装置の部分拡大断面図。
【図２】  図１に示す歯科用切削装置のＩＩ−ＩＩ線断面図。
【図３】  実施の形態２に係る歯科用切削装置の部分断面図。
【図４】  インナーハウジングの斜視図。
【図５】  インナーハウジングの斜視図。
【図６】  環状シールの部分斜視図。
【図７】  実施の形態３に係る歯科用切削装置の部分断面図。
【符号の説明】
１：ハンドピース
１０：ヘッド部
１１：軸部
１２：ハウジング
１３：アウターハウジング
１４：インナーハウジング
１５：トップハウジング
１６：空室
１７：上部軸受部
１８：下部軸受部
２１：翼車
２４：給気口
２５：排気口
２６：外周空隙（第１の空隙）
２７：上部空隙（第２の空隙）
２８：下部空隙（第２の空隙）
【図１】
0004160319.tif 000002
【図２】
0004160319.tif 000003
【図３】
0004160319.tif 000004
【図４】
0004160319.tif 000005
【図５】
0004160319.tif 000006
【図６】
0004160319.tif 000007
【図７】
0004160319.tif 000008